(57)【特許請求の範囲】
【請求項１】
溶融樹脂を導入するスプルーから分岐する第１のランナーと、前記第１のランナーから分岐する第２のランナーと、前記第２のランナーから分岐する第３のランナーと、前記第３のランナーの各々に接続され、前記溶融樹脂が充填されるキャビティを備え、前記スプルーと前記第１のランナー、前記第１のランナーと前記第２のランナー及び前記第２のランナーと前記第３のランナーとの各々の分岐部にて前記溶融樹脂の流動方向を垂直な方向に変換するよう構成された８個以上の多数個取りの射出成形金型であって、前記第１のランナーから前記第２のランナーへの分岐部に前記第１のランナーにおける前記流動方向に垂直な断面の高さの２５％以上、７５％以下の段差で、前記第１のランナーと同断面積の階段形状を設けたことを特徴とする射出成形金型。
【請求項２】
溶融樹脂を導入するスプルーと、前記スプルーの前記溶融樹脂の流動方向を垂直な方向に変換するよう前記スプルーに接続されたランナーと、前記流動方向を垂直な方向に変換するよう順次接続された一つ以上のランナーとが順次接続され、末端の前記ランナーが接続され、前記溶融樹脂が充填されるキャビティを備え、前記ランナーの各々の分岐部に、前記ランナーにおける前記流動方向に垂直な断面の高さの２５％以上、７５％以下の段差が設けられ、前記段差の前後での前記ランナーの断面積が等しいことを特徴とする射出成形金型。
【発明の詳細な説明】
【技術分野】
【０００１】
本発明は、多数個取り製品を製造する射出成形金型に関する。
【背景技術】
【０００２】
従来より、射出成形により、多数個取りで製品を製造する場合には、射出成形金型の各キャビティへバランス良く均等に溶融樹脂を充填することが重視されている。図２は従来の８個取り射出成形金型の概略構成図である。図２は、金型内の空洞部のみを表示したものであり、他の金型の図面も同様である。図２に示されるように、８個取り射出成形金型のランナーは、スプルー１、第１ランナー２、第２ランナー３、第３ランナー４、ゲート部５、キャビティ８、９、１０、１１、１２、１３、１４、１５により構成されているが、スプルー１を中心に各キャビティへ溶融樹脂が均等に流れるように、その間のランナー、すなわち２個の第１ランナー２、４個の第２ランナー３、８個の第３ランナー４は等長、等断面積としている。
【０００３】
ところが、図２のような射出成形金型では、各ランナーを等長、等断面積とした場合は、内側のキャビティ、すなわちキャビティ９、１０、１３、１４の方が外側のキャビティ、すなわちキャビティ８、１１、１２、１５よりも充填され易いことが、従来から知られている。多数個取りの場合、溶融樹脂の充填のバランスが崩れると、過充填や充填不足により製品不良に繋がるため、各種の対策が取られている。
【０００４】
例えば、特許文献１には、各キャビティに流入する充填バランスが崩れる場合があり、これは、主ランナーから副ランナーへ分岐する際に、中央部を流れる樹脂は主として樹脂の流れ方向側の副ランナーに流れ、一方、表層側の樹脂は樹脂の流れ方向と反対側の副ランナーに流れるが、各ランナーを流れる溶融樹脂は、表層部を流れる樹脂と中央部を流れる樹脂との間にせん断速度及び温度差を生ずるため両樹脂の粘度が異なることによると考えられることが記載されている。
【０００５】
特許文献１では、溶融樹脂の充填バランスを主ランナー（第１ランナー）から副ランナー（第２ランナー）への分岐部に樹脂の流れを変えるための突起状段差を設けることが記載されている。詳細には、第１ランナーから第２ランナーへ溶融樹脂の流れが分岐し、溶融樹脂の流れ方向が９０度変換される前に、分岐部に突起状段差を設けて、第１ランナーと第２ランナーにより形成される平面に対して、一旦、垂直の方向に溶融樹脂の流れ方向を変換している。
【０００６】
また、特許文献２に開示されている技術では、先に充填される内向き側のキャビティのゲート前のランナーに溶融樹脂の成形条件を調整する成形条件調整入れ子を設けている。
【先行技術文献】
【特許文献】
【０００７】
【特許文献１】特開平５−１８５４７０号公報
【特許文献２】特開２００１−３５３７５５号公報
【発明の概要】
【発明が解決しようとする課題】
【０００８】
多数個取りの射出成形を行う場合は、溶融樹脂の充填バランスを調整することは必須条件である。また、射出成形金型内では、ノズルから充填されたスプルー部から先の溶融樹脂のせん断発熱による温度分布では、各ランナーの中心部より外周部が温度が高くなると考えられる。そこで、射出成形金型内の溶融樹脂の温度分布の検討を行った。
【０００９】
図７は従来の射出成形金型内の溶融樹脂の温度分布を示す模式図で、図７（ａ）は図２のＡ−Ａ断面図、図７（ｂ）は図２のＢ−Ｂ断面図、図７（ｃ）は図２のＣ−Ｃ断面図である。ノズルから充填されたスプルー１の断面の温度分布は図７（ａ）のように、中心部がせん断発熱温度小１７であり、外周部がせん段発熱温度大１６の対称形の分布となっていると考えられる。次にスプルー１から第１ランナー２へは９０度方向が変換されており、分岐部で、スプルー１の中心の部分（温度の低い部分）が第１ランナー２の下部に、スプルー１の外周の半分の部分（温度の高い部分）が第１ランナー２の上部に流れると共に、第１ランナー２を流動することによる中心部と外周部のせん断発熱温度の分布が加わり、分岐後の第１ランナー２の断面の温度分布は図７（ｂ）に示されるように、第１ランナー２の外周の上側（スプルー１の外周側に沿った側）はせん断発熱温度大１６で外周の下側と中心部は、せん断発熱温度小１７となると考えられる。
【００１０】
さらに、第１ランナー２から第２ランナー３への分岐後は、図７（ｃ）のように、第１ランナー２から第２ランナー３へとは９０度方向が変換されており、第１ランナーの外周に沿った第２ランナーの外周側はせん断発熱温度大１６の樹脂が流れ、その反対側は第１ランナー２の中心の部分（温度の低い部分）が流れるため、せん断発熱温度小１７となり、せん断発熱分布の左右の対称性が崩れる。その結果、第２ランナー３から第３ランナー４へ分岐する際に樹脂の流動が不均一となる。従って、温度が高く粘性が低い第１ランナーの外周に沿って流れる内側のキャビティ、すなわちキャビティ９、１０、１３、１４が先に充填されると考えられる。この現象は、高流動性の液晶ポリマー等を使用した小型電子部品の薄肉製品で特に顕著となる。
【００１１】
図８は、参考例の８個取りの射出成形金型の概略構成図である。特許文献１では、主ランナーから副ランナーに分岐する前に、一旦垂直方向に溶融樹脂の流れを変換しているので、図８に示す参考例の８個取りの射出成形金型でも、第１ランナー２から第２ランナー３へ溶融樹脂の流れが分岐し、溶融樹脂の流れ方向が９０度変換される前に、分岐部６に第２ランナー３の高さ以上の段差を持たせた階段形状７を設けている。この階段形状７により、第１ランナー２と第２ランナー３により形成される平面に対して、一旦、垂直の方向に溶融樹脂の流れ方向を変換し、垂直の方向から第２ランナーに溶融樹脂が流入し、左右に分岐して流れるように設定している。
【００１２】
図９は図８に示す射出成形金型内の溶融樹脂の温度分布を示す模式図で、図９（ａ）は図８のＤ−Ｄ断面図、図９（ｂ）は図８のＥ−Ｅ断面図、図９（ｃ）は図８のＦ−Ｆ断面図である。この場合、ノズルから充填されたスプルー１の断面の温度分布は図９（ａ）のように、中心部がせん断発熱温度小１７であり、外周部がせん断発熱温度大１６の対称形の分布となっていると考えられる。次に、スプルー１から第１ランナー２へは９０度方向が変換されており、分岐部で、スプルー１の温度が低い中心部が第１ランナー２の下部に、スプルー１の温度が高い外周の半分が第１ランナー２の上部に流れると共に、第１ランナー２を流動することによる中心部と外周部のせん断発熱温度の分布が加わり、分岐後の第１ランナー２の断面の温度分布は図９（ｂ）に示されるように、第１ランナー２の外周の上側はせん断発熱温度大１６で外周の下側と中心部はせん断発熱温度小１７となると考えられる。
【００１３】
さらに、第１ランナー２から第２ランナー３への分岐後は、図９（ｃ）のように、第１ランナーは、第２ランナーの上部から流れることによって第１ランナーの外周の上部に沿った第２ランナーの外周側はせん断発熱温度大１６の樹脂が流れ、その反対の第１ランナーの下部に沿った第２ランナーの外周側はせん断発熱温度小１７となり、せん断発熱分布の左右の対称性が崩れる。その結果、第２ランナー３から第３ランナー４へ分岐後、外側のキャビティ、すなわちキャビティ８、１１、１２、１５が先に充填されると考えられる。
【００１４】
よって、特許文献１の発明を適用しても、溶融樹脂の充填バランスが充分に確保されるとは限らないことが分かる。さらに、特許文献１の突起状段差を設ける場合は、射出成形金型の突起状段差部の金型パーティングラインが、一般的な平面とはならず、３次元的な合わせ面の形状となるため、高度な加工精度が必要であり、金型の加工費が高くなるという面がある。
【００１５】
また、特許文献２の発明のゲートに調整用の入れ子を設け、各キャビティへの溶融樹脂の充填量を直接調整する方法は、各キャビティへの溶融樹脂の流れのバランスの均一化がなされるはずなので、充填バランスを調整する面では効果が大きいと考えられる。ただし、この場合は、成形樹脂、成形条件毎に専用の入れ子を準備しなければならず、効率が悪い面がある。さらに、調整入れ子をねじ等で固定するため、ねじ等のスペース増による金型の大型化、成形樹脂量の増大といった金型コスト、資材費が高くなるという面もある。
【００１６】
従って、本願の解決すべき課題は、多数個取りの射出成形を行う場合に、各キャビティへの溶融樹脂の充填バランスを確保できると共に、作業性が良好で、且つ、金型等のコストを抑えられるような射出成形金型を提供することである。
【課題を解決するための手段】
【００１７】
本発明は、スプルーから導入された溶融樹脂を８個以上の複数のキャビティへ充填する多数個取りの射出成形金型のランナーの形状を調整して、第１ランナーから第２ランナーへの分岐部における溶融樹脂の流れを調整し、分岐後の第２ランナー内を流れる溶融樹脂のせん断発熱分布を左右均等にすることにより、第２ランナーから第３ランナーへ分岐して流れる溶融樹脂の流れを均等となるように調整し、その先の各キャビティへの充填バランスを均一にしたものである。
【００１８】
即ち、本発明は、溶融樹脂を導入するスプルーから分岐する第１のランナーと、前記第１のランナーから分岐する第２のランナーと、前記第２のランナーから分岐する第３のランナーと、前記第３のランナーの各々に接続され、前記溶融樹脂が充填されるキャビティを備え、前記スプルーと前記第１のランナー、前記第１のランナーと前記第２のランナー及び前記第２のランナーと前記第３のランナーとの各々の分岐部にて前記溶融樹脂の流動方向を垂直な方向に変換するよう構成された８個以上の多数個取りの射出成形金型であって、前記第１のランナーから前記第２のランナーへの分岐部に前記第１のランナーにおける前記流動方向に垂直な断面の高さの２５％以上、７５％以下の段差で、前記第１のランナーと同断面積の階段形状を設けたことを特徴とする射出成形金型である。
【００１９】
また、本発明は、溶融樹脂を導入するスプルーと、前記スプルーの前記溶融樹脂の流動方向を垂直な方向に変換するよう前記スプルーに接続されたランナーと、前記流動方向を垂直な方向に変換するよう順次接続された一つ以上のランナーとが順次接続され、末端の前記ランナーが接続され、前記溶融樹脂が充填されるキャビティを備え、前記ランナーの各々の分岐部に、前記ランナーにおける前記流動方向に垂直な断面の高さの２５％以上、７５％以下の段差が設けられ、前記段差の前後での前記ランナーの断面積が等しいことを特徴とする射出成形金型である。
【発明の効果】
【００２０】
本発明によれば、第１ランナーから第２ランナーへの分岐部に階段形状を設けることによって、分岐後の第２ランナー内の溶融樹脂のせん断発熱分布の左右のバランスが保たれ、各キャビティへの充填バランスを保つことが可能となる。本発明の射出成形金型を用いることにより、各キャビティへの均一充填が容易に達成され、製品の成形バリやショートショットといった不良が改善され、品質が安定し、生産性が向上する。
【００２１】
また、本発明の射出成形金型の場合は、分岐部の階段形状の金型パーティングラインをほぼ、一般的な平面形状に近いものとすることが出来るので、合わせ面にも、高度な加工精度が必ずしも必要ではないため、金型の加工費も抑えることが可能となる。
【図面の簡単な説明】
【００２２】
【図１】本発明の８個取り射出成形金型の概略構成図。
【図２】従来の８個取り射出成形金型の概略構成図。
【図３】本発明の射出成形金型内の溶融樹脂の温度分布を示す模式図、図３（ａ）は図１のＧ−Ｇ断面図、図３（ｂ）は図１のＨ−Ｈ断面図、図３（ｃ）は図１のＩ−Ｉ断面図。
【図４】第１ランナーから第２ランナーへの分岐部拡大図、図４（ａ）は従来例、図４（ｂ）は本発明の階段形状、図４（ｃ）は参考例の階段形状。
【図５】本発明に係る、第１ランナーから第２ランナーへの分岐部側面の説明図。
【図６】樹脂充填時のキャビティ間の平均重量のずれ量を示す図、図６（ａ）はポリカーボネートの場合、図６（ｂ）は液晶ポリマーの場合。
【図７】従来の射出成形金型内の溶融樹脂の温度分布を示す模式図、図７（ａ）は図２のＡ−Ａ断面図、図７（ｂ）は図２のＢ−Ｂ断面図、図７（ｃ）は図２のＣ−Ｃ断面図。
【図８】参考例の８個取りの射出成形金型の射出成形金型の概略構成図。
【図９】図８に示す射出成形金型内の溶融樹脂の温度分布を示す模式図、図９（ａ）は図８のＤ−Ｄ断面図、図９（ｂ）は図８のＥ−Ｅ断面図、図９（ｃ）は図８のＦ−Ｆ断面図。
【発明を実施するための形態】
【００２３】
以下、本発明の実施の形態を図に基づいて説明する。
【００２４】
図１は、本発明の８個取り射出成形金型の概略構成図を示したものである。さらに、図４は、第１ランナーから第２ランナーの分岐部拡大図で、図４（ａ）は従来例、図４（ｂ）は本発明の階段形状、図４（ｃ）は参考例の階段形状である。
【００２５】
本発明の射出成形金型は、図１に示すように、スプルー１、第１ランナー２、第２ランナー３、第３ランナー４、ゲート部５、キャビティ８、９、１０、１１、１２、１３、１４、１５により構成されている。
【００２６】
さらに、第１のランナーから第２のランナーへの分岐部に階段形状７を設けている。階段形状７は、図４（ａ）に示す従来形状の分岐部に図４（ｂ）の本発明の階段形状のような段差を設けたものである。階段形状の段差の垂直方向の高さは第１ランナーの高さの２５％以上から７５％以下とすることが望ましく、この範囲内の段差の寸法で、各キャビティ間の樹脂の充填バランスを均一にできる。段差の垂直方向の高さが第１ランナーの高さの２５％よりも小さい場合は、各キャビティ間の樹脂の充填バランスを均一にする効果が殆んどなく、段差の垂直方向の高さを第１ランナーの高さの７５％よりも大きくすると、かえって各キャビティ間の樹脂の充填バランスが悪化する。図４（ｃ）の参考例の階段形状は、段差の垂直方向の高さを第１ランナーの高さと同じ（１００％）にしたもので、特許文献１の突起状段差を設ける技術に類似してくるが、このような階段形状の場合は、各キャビティ間の樹脂の充填バランスはあまり均一でない。
【００２７】
さらに、図５は、本発明に係る、第１ランナーから第２ランナーへの分岐部側面の説明図である。図５の実施の形態の場合は、第１ランナー２と第２ランナー３の断面の寸法形状が等しく、階段形状の段差の長さ（Ｌ）をランナーの幅寸法（Ｗ、図示せず）と等しく設定している。図５に示すような段差形状が、金型作製上は望ましいが、寸法形状は、この実施の形態に限定されるものではない。流れる溶融樹脂の断面積が、実質的に第１のランナー２の断面積と同じで、段差の垂直方向の寸法が第１ランナー２の高さの２５％以上、７５％以下であれば、他の形状、例えば、段差の長さ（Ｌ）が異なっても、段差が上方でなく下方であっても、垂直でなく斜めでもかまわない。
【００２８】
図５に示すように、本発明の実施の形態である分岐部に設ける階段形状７は、所定の高さ寸法（Ｈａ）と幅寸法（Ｗ）の断面（Ｓ＝Ｈａ×Ｗ）を持つストレート状の第１ランナー２に、幅寸法（Ｗ）が同じで、高さ寸法を図の上方で所定寸法（Ｈｃ）増加させた断面（Ｓ＝（Ｈａ＋Ｈｃ）×Ｗ）で、長さ（Ｌ）が第２ランナー３の幅寸法（Ｗ）と同じ寸法（Ｌ＝Ｗ）のランナーが接続され、さらに、幅寸法（Ｗ）を変えずに、高さ寸法を図の下方で所定寸法（Ｈｃ）減少させた断面（Ｓ＝Ｈａ×Ｗ）で、長さ（Ｌ）が第２ランナー３の幅寸法（Ｗ）と同じ寸法（Ｌ＝Ｗ）のランナーが接続され、さらに、このランナーが第２ランナー３上部まで延長されて、第２ランナー３に接続されている。
【００２９】
この上方への増加と下方への減少を行った所定寸法（Ｈｃ）が本発明で規定している階段形状７の段差の寸法である。この段差の垂直方向の寸法（Ｈｃ）は第１ランナー２の高さ寸法（Ｈａ）の２５〜７５％（２５％≦Ｈｃ／Ｈａ≦７５％）であることが望ましい。
【００３０】
なお、この階段形状の断面積は、第１ランナー２から第２ランナー３の分岐部へ流れる溶融樹脂の断面積が実質的に等しくなるように設定すれば良く、図５の上下方向の断面のみで考えれば、途中で断面積が増加しているように見えるが、流れる溶融樹脂の階段形状７への入出の断面積と考えれば、ほぼ一定の断面積となっており、第１ランナーの断面積と実質的に同じと見なすことができる。
【００３１】
図３は本発明の射出成形金型内の溶融樹脂の温度分布を示す模式図で、図３（ａ）は図１のＧ−Ｇ断面図、図３（ｂ）は図１のＨ−Ｈ断面図、図３（ｃ）は図１のＩ−Ｉ断面図である。ノズルから充填されたスプルー１の断面の温度分布は図３（ａ）のように、中心部がせん断発熱温度小１７であり、外周部がせん断発熱温度大１６の対称形の分布となっていると考えられる。次にスプルー１から第１ランナー２へは９０度方向が変換されており、分岐部で、スプルー１の中心の部分（温度の低い部分）が第１ランナー２の下部に、スプルー１の外周の半分の部分（温度の高い部分）が第１ランナー２の上部に流れると共に、第１ランナー２を流動することによる中心部と外周部のせん断発熱温度の分布が加わり、分岐後の第１ランナー２の断面の温度分布は図３（ｂ）に示されるように、第１ランナー２の外周の上側（スプルー１の外周側の沿った側）はせん断発熱温度大１６で外周の下側と中心部は、せん断発熱温度小１７となると考えられる。
【００３２】
さらに、第１ランナー２から第２ランナー３への分岐後は、図３（ｃ）のように、第１ランナー２から第２ランナー３へとは、従来の９０度方向変換とは異なり、第２ランナー３の外周のみならず、中央、外周部までせん断発熱温度大１６の樹脂が流れるため、その反対側の第１ランナー２の中心より下のせん断発熱温度小１７の樹脂が第２ランナー３の内周側へ流れても、その影響は小さくなりせん断発熱分布の対称性が良好となると考えられる。
【００３３】
その結果、第２ランナー３から第３ランナー４へ分岐する際に樹脂の流動が均一となる。従って、第１ランナーの外周に沿って流れるキャビティ９、１０、１３、１４とその反対側のキャビティ８、１１、１２、１５が、均一に充填されると考えられる。
【００３４】
なお、本願の目的は、第１ランナーから第３ランナーまでの分岐で８分割された先での樹脂の流れのバランスを均一にすることを主眼とするものである。従って、本願発明の射出成形金型は、第３ランナーの先にキャビティが連なるものではあるが、図１の例で示したような、第３ランナー４にゲート部５を介してキャビティ８、９、１０、１１、１２、１３、１４、１５が接続されるものに限定されるものではなく、第３ランナーとキャビティ間に、さらにランナーやゲート、分岐部等を有するものであってもよく、キャビティの個数も８個以外、設けても良い。
【実施例】
【００３５】
８個取り射出成形用金型を用い、第１ランナーから第２ランナーへの分岐部として、各種の階段形状の分岐部を作製して、樹脂の充填状態の比較検討を行った。
【００３６】
製品は、リレー用ケースであり、肉厚約０．４ｍｍ、高さ約１０ｍｍ、幅約１０ｍｍ、長さ約１５ｍｍである。尚、製品図は省略する。射出成形用の樹脂として、汎用樹脂の三菱樹脂（株）ポリカーボネートと、ケース等に適用される非常に高流動性の住友化学（株）液晶ポリマーＥ−７０００シリーズとの、互いに粘度が大きく異なる２種類の樹脂を使用した。
【００３７】
段差形状として、段差のない従来形状（段差０％）、および段差が第１ランナーの高さ（Ｈａ）の２５％、４０％、５０％、７５％、１００％の６種類の射出成形金型を製作し評価した。
【００３８】
階段形状の寸法は、階段部長さ（Ｌ）、幅（Ｗ）、高さ（Ｈａ）を第１ランナーの断面の寸法に合わせて約２ｍｍとした。ランナーの寸法は、第１ランナーの長さは約６０ｍｍ、第２ランナーの長さは約４０ｍｍ、第３ランナーの長さは約１５ｍｍとした。第１、２ランナーの高さ（Ｈａ）及び幅（Ｗ）の寸法は、共に約２ｍｍ、第３ランナーの高さ（Ｈａ）及び幅（Ｗ）の寸法は約１．５ｍｍとした。
【００３９】
射出条件は、ポリカーボネートの場合、ノズル温度を２９０℃とし、射出速度は２００ｍｍ／ｓｅｃとした。液晶ポリマーの場合、ノズル温度を３２０℃とし、射出速度は２００ｍｍ／ｓｅｃとした。さらに、これらの樹脂を用いて、射出速度のみを１００ｍｍ／ｓｅｃと変えた実験も行った。
【００４０】
本実施例の８個取りのリレー用ケースの製品重量が完全充填時の５０％及び７５％となった時点での図１に示される配置の、第１ランナーの外周に沿って流れる４個の内側のキャビティ、すなわちキャビティ９、１０、１３、１４の平均重量とその反対側の４個の外側のキャビティ、すなわちキャビティ８、１１、１２、１５の平均重量を測定し、その２つの平均重量の差をずれ量とした。
【００４１】
図６は樹脂充填時のキャビティ間の平均重量のずれ量を示す図で、図６（ａ）はポリカーボネートの場合、図６（ｂ）は液晶ポリマーの場合である。ずれ量は、内側のキャビティ、すなわちキャビティ９、１０、１３、１４の平均重量が重い場合をプラス側とし、外側のキャビティ、すなわちキャビティ８、１１、１２、１５の平均重量が重い場合をマイナス側としている。
【００４２】
ポリカーボネートの場合は、図６（ａ）に示すように、樹脂の充填重量が７５％では、どの場合もずれ量が５％以内であり良好であるが、特に、段差が第１ランナーの高さの４０％の場合は、ずれ量がほとんど無いことが分かる。また、２水準の射出速度で実験を行っているが、樹脂が同じポリカーボネートの場合は、射出速度を変えても、ずれ量に殆んど差が認められなかった。図６のずれ量のグラフ上ではデータが重なるため、射出速度による区別はしていない。
【００４３】
但し、段差が０％（従来例）の場合は、従来技術で説明したとおり、充填バランスは内側のキャビティ、すなわちキャビティ９、１０、１３、１４が先に充填されている。また、段差が１００％の場合は、参考例として検討したように、外側のキャビティ、すなわちキャビティ８、１１、１２、１５が先に充填されている。
【００４４】
液晶ポリマーの場合は、図６（ｂ）に示すように、段差が第１ランナーの高さの２５％〜７５％の場合、樹脂の充填率が７５％では、ずれ量約５％以下となり、内側のキャビティ、すなわちキャビティ９、１０、１３、１４の平均重量と外側のキャビティ、すなわちキャビティ８、１１、１２、１５の平均重量の差が小さく、充填のバランスが取れていることが分かる。また、２水準の射出速度で実験を行っているが、樹脂が同じ液晶ポリマーの場合も、射出速度を変えても、ずれ量に殆んど差が認められなかった。
【００４５】
特に、段差が第１ランナーの高さの４０％の場合は、樹脂の充填率が５０％、７５％の両方共に、ずれ量が非常に小さく、内外の各キャビティ間の充填のバランスが非常に良好であることが分かった。故に段差が第１ランナーの高さの３５％〜４５％の範囲にすることが、より望ましいことが解る。
【００４６】
段差を設けない従来例の場合は、従来技術で説明した通りの結果が示されている。即ち、ずれ量がプラスで非常に大きな値を示しており、内側のキャビティ、すなわちキャビティ９、１０、１３、１４が先に充填され、各キャビティ間の充填バランスは悪いことが分かる。
【００４７】
また、段差が第１ランナーの高さの１００％の場合は、段差０％の場合に対して、ずれ量がマイナス側へと逆転しており、しかもずれ量も大きな値を示し、各キャビティ間の充填バランスは悪い。よって、本願発明の射出成形金型は第１ランナーから第２ランナーへの分岐部に第１ランナーの高さの２５％〜７５％内の段差で階段形状を設けることで、せん断発熱分布の対称性が良くなり充填バランスが良好となるということになる。
【００４８】
以上の結果では、樹脂と射出速度の組合せにより、ずれ量の程度には差があるが、段差に対する、ずれ量の傾向は同一と考えられる。従って、成形条件、成形樹脂を変えても本発明の第１ランナーの高さの２５％〜７５％内の段差とすることで充填バランスを良好に出来るとの効果は変わらないことが分かる。
【００４９】
特許文献１では、突起状段差を設けることにより、充填バランスが改善されるとの記載があるが、本願の階段形状を設ける場合には、段差を所定以上に大きくしないと、溶融樹脂の流れを第１ランナーと第２ランナーがなす平面に垂直な方向に変更出来ないが、所定以上の段差を設けると、各キャビティ間の充填バランスが悪くなる。特に液晶ポリマーのような樹脂の場合は有効な効果を奏しない。従って、本願発明は、特許文献１の突起状段差を設ける発明とは、全く異なる発明である。
【００５０】
以上本発明の一実施例について説明したが、本発明は上記実施例に限定されることなく、多数個取り射出成形金型にも適用可能である。
【００５１】
例えば、１６個取りであれば、第１ランナーから第２ランナーへの分岐部の他に、第２ランナーから第３ランナーへの分岐部に、３２個取りであれば、さらに第４ランナーから第５ランナーへの分岐部にと上記と同様の階段形状を設けることで各キャビティ間での樹脂の充填バランスを均一にできる。
【符号の説明】
【００５２】
１    スプルー
２    第１ランナー
３    第２ランナー
４    第３ランナー
５    ゲート部
６    分岐部
７    階段形状  
８、９、１０、１１、１２、１３、１４、１５    キャビティ
１６    せん断発熱温度大
１７    せん断発熱温度小
【図１】
0005715492.tif 000002
【図２】
0005715492.tif 000003
【図３】
0005715492.tif 000004
【図４】
0005715492.tif 000005
【図５】
0005715492.tif 000006
【図６】
0005715492.tif 000007
【図７】
0005715492.tif 000008
【図８】
0005715492.tif 000009
【図９】
0005715492.tif 000010